(57)【要約】      （修正有）【課題】固定及び調整可能な太陽光発電ブラケットを提供する。【解決手段】複数の取り付け支柱１と、太陽光発電取り付けフレームと、プッシュロッド部品５を備えて、前記取り付け支柱のそれぞれに一式のプッシュロッド部品が設けられており、前記プッシュロッド部品は、プッシュロッド本体とプッシュロッド本体に伸縮可能な伸び出しロッドを含み、前記プッシュロッド本体には、前記伸び出しロッドの伸縮を駆動する伝動軸が設けられ、隣接する二つの取り付け支柱にある伝動軸の間に、伝動ロッド６が接続され、前記伝動軸には、前記伝動軸を駆動するためのクランクが設けられる。既存技術と比較して、本考案は、設けられた前記伝動ロッドにより、クランクを振って、複数のプッシュロッド部品を同時に調整することを実現できて、作業者の労力を大幅に軽減し、作業効率を向上させる。【選択図】図１
0003234915.tif 000002
【実用新案登録請求の範囲】
【請求項１】
複数の取り付け支柱と、太陽光発電取り付けフレームと、プッシュロッド部品を備え；
前記複数の取り付け支柱が地面に建てられ、しかも同じな垂直面に配置され、前記太陽光発電取り付けフレームは、取り付け支柱の上端に回転可能に接続されており；
前記取り付け支柱のそれぞれに一式のプッシュロッド部品が設けられており、前記プッシュロッド部品は、プッシュロッド本体とプッシュロッド本体に伸縮可能な伸び出しロッドを含み、
前記プッシュロッド本体の下端は、前記取り付け支柱に回転可能に接続され、前記伸び出しロッドの上端は、前記太陽光発電取り付けフレームに回転可能に接続され；
前記プッシュロッド本体には、前記伸び出しロッドの伸縮を駆動する伝動軸が設けられ、隣接する二つの取り付け支柱にある伝動軸の間に、伝動ロッドが接続され、前記伝動軸には、前記伝動軸を駆動するためのクランクが設けられることを特徴とする固定及び調整可能な太陽光発電ブラケット。
【請求項２】
前記伝動ロッドは、２段階の伝動ロッドが第１接続部品を介して接続して、前記第１接続部品には、前記伝動ロッドの長さ方向に沿ってストリップ孔が設けられ、前記ストリップ孔は、貫通され、前記伝動ロッドを接続する固定部品が設けられることを特徴とする請求項１に記載の固定及び調整可能な太陽光発電ブラケット。
【請求項３】
前記太陽光発電取り付けフレームは、逆U字型梁と横梁とを含み、各前記取り付け支柱の上端には、回転可能に逆U字型梁が設けられており、しかも隣接する逆U字型梁の間に数列の横梁が配置されており、横梁の各列は、複数の本のC 字型梁によって接続され、隣接するC 字型梁の間に接続をするために第２接続部品が設けられることを特徴とする請求項１に記載の固定及び調整可能な太陽光発電ブラケット。
【請求項４】
前記第２接続部品は、Ｊ字型であり、前記第２接続部品は、底辺板、長辺板と短辺板を有し、前記長辺板と前記短辺板は、互いに平行に配置され、しかもそれぞれ前記底辺板の両側に接続され、前記長辺板と前記短辺板には、ロック孔が設けられることを特徴とする請求項３に記載の固定及び調整可能な太陽光発電ブラケット。
【請求項５】
C 字型梁と逆U字型梁は、母屋によって接続され、前記C 字型梁の下表面は、前記逆U字型梁の上表面と接続して、前記母屋には、前記C 字型梁と前記逆U字型梁に用いられるためのストリップ孔が設けられ、前記逆U字型梁にもストリップ孔が設けられることを特徴とする請求項３に記載の固定及び調整可能な太陽光発電ブラケット。
【請求項６】
前記取り付け支柱には、固定するためのプッシュロッド取付座が設けられ、前記プッシュロッド本体は、回転自在に前記プッシュロッド取付座に接続され、前記逆U字型梁の下表面には、固定するための逆U字型の補強材が設けられ、前記伸び出しロッドは、前記逆U字型の補強材と回転接続することを特徴とする請求項３に記載の固定及び調整可能な太陽光発電ブラケット。
【請求項７】
前記C 字型梁の上表面には、固定して太陽光発電モジュールを取り付けるためのバッキングプレートが設けられ、前記バッキングプレートには、ストリップ孔が設けられることを特徴とする請求項３に記載の固定及び調整可能な太陽光発電ブラケット。
【請求項８】
前記逆U字型梁の長さ方向に沿って、４列以内の太陽光発電モジュールを設けることを特徴とする請求項３に記載の固定及び調整可能な太陽光発電ブラケット。
【請求項９】
前記伝動ロッドは、角管であることを特徴とする請求項１に記載の固定及び調整可能な太陽光発電ブラケット。 
【考案の詳細な説明】
【技術分野】
【０００１】
本考案は、太陽光発電技術の分野に関して、特に固定及び調整可能な太陽光発電ブラケットに関するものである。
【背景技術】
【０００２】
太陽光発電システムの発電量を増やすためには、ブラケットの傾斜角度を頻繁に調整する必要がある。従来の方法は、太陽光発電パネルの角度を手作業で調整していたが、作業者の労働強度は、比較的に高くなって、そして、高い人件費が必要となる。
【０００３】
これを鑑み、本考案の考案者は、上記の従来技術の欠点について研究をして、本考案を作成した。
【考案の概要】
【考案が解決しようとする課題】
【０００４】
本考案の目的は、固定及び調整可能な太陽光発電ブラケットを提供して、それは、傾斜角度の調整が便利で迅速であって、人件費を節約できるという特徴がある。
【０００５】
上述した目的を達するために、本考案の解決方案は：
固定及び調整可能な太陽光発電ブラケットを提供して、それは、複数の取り付け支柱と、太陽光発電取り付けフレームと、プッシュロッド部品を備え、前記複数の取り付け支柱が地面に建てられ、しかも同じな垂直面に配置されて、前記太陽光発電取り付けフレームは、取り付け支柱の上端に回転可能に接続されており、前記取り付け支柱のそれぞれに一式のプッシュロッド部品が設けられており、前記プッシュロッド部品は、プッシュロッド本体とプッシュロッド本体に伸縮可能な伸び出しロッドを含み、前記プッシュロッド本体の下端は、前記取り付け支柱に回転可能に接続され、前記伸び出しロッドの上端は、前記太陽光発電取り付けフレームに回転可能に接続されている。前記プッシュロッド本体には、前記伸び出しロッドの伸縮を駆動する伝動軸が設けられ、隣接する二つの取り付け支柱にある伝動軸の間に、伝動ロッドが接続され、前記プッシュロッド本体の少なくとも一つの伝動軸には、前記伝動軸を駆動するためのクランクが設けられている。
【０００６】
さらに、前記伝動ロッドは、２段階の伝動ロッドが第１接続部品を介して接続して、前記第１接続部品には、前記伝動ロッドの長さ方向に沿ってストリップ孔が設けられ、前記ストリップ孔は、貫通されて、前記伝動ロッドを接続する固定部品が設けられる。
【０００７】
また、前記太陽光発電取り付けフレームは、逆U字型梁と横梁とを含み、各前記取り付け支柱の上端には、回転可能に逆U字型梁が設けられており、しかも隣接する逆U字型梁の間に数列の横梁が配置されており、横梁の各列は、複数の本のC 字型梁によって接続されて、隣接するC 字型梁の間に接続をするために第２接続部品が設けられる。
【０００８】
さらに、前記第２接続部品は、Ｊ字型であり、前記第２接続部品は、底辺板、長辺板と短辺板を有し、前記長辺板と前記短辺板は、互いに平行に配置され、しかもそれぞれ前記底辺板の両側に接続されて、前記長辺板と前記短辺板には、ロック孔が設けられている。
【０００９】
また、C 字型梁と逆U字型梁は、母屋によって接続され、前記C 字型梁の下表面は、前記逆U字型梁の上表面と接続して、前記母屋には、前記C 字型梁と前記逆U字型梁に用いられるためのストリップ孔が設けられ、前記逆U字型梁にもストリップ孔が設けられる。
【００１０】
また、前記取り付け支柱には、固定するためのプッシュロッド取付座が設けられ、前記プッシュロッド本体は、回転自在に前記プッシュロッド取付座に接続される。前記逆U字型梁の下表面には、固定するための逆U字型の補強材が設けられ、前記伸び出しロッドは、前記逆U字型の補強材と回転接続する。
【００１１】
また、前記C 字型梁の上表面には、固定して太陽光発電モジュールを取り付けるためのバッキングプレートが設けられ、前記バッキングプレートには、ストリップ孔が設けられる。
【００１２】
また、前記逆U字型梁の長さ方向に沿って、４列以内の太陽光発電モジュールを設ける。
【００１３】
また、前記伝動ロッドは、角管である。
【考案の効果】
【００１４】
上述した構造を採用した後、本考案は、固定及び調整可能な太陽光発電ブラケットに関して、少なくとも以下の有益な効果を有する。
設けられた前記伝動ロッドと前記クランクを通って、前記クランクを振って前記伝動ロッドを回転して、これにより、前記プッシュロッド本体の伝動軸が同期に回転駆動され、さらに、前記伸び出しロッドを駆動して、同期に伸縮させて、このようにして、前記太陽光発電取り付けフレームの傾斜角度の調整を実現できる。前記プッシュロッド部品の伸び出しロッドを多くに伸ばすと、前記太陽光発電取り付けフレームは、小さい角度の状態になる。前記プッシュロッド部品の伸び出しロッドを小さくに伸ばすと、前記太陽光発電取り付けフレームは、大きな角度の状態になる。前記伸び出しロッドの伸び出しは、無段階に調整でき、必要に応じて、前記太陽光発電取り付けフレームの角度を調整できる。
【００１５】
既存技術と比較して、本考案は、設けられた前記伝動ロッドにより、クランとを振って、複数のプッシュロッド部品を同時に調整することを実現できて、作業者の労力を大幅に軽減し、作業効率を向上させる。
【図面の簡単な説明】
【００１６】
【図１】本考案の固定及び調整可能な太陽光発電ブラケットの立体結構を示す図である。
【図２】本考案のプッシュロッド部品の立体結構を示す図である。
【図３】本考案の太陽光発電取り付けフレームが、大きな角度の状態になる結構を示す図である。
【図４】本考案に関わるプッシュロッド部品の取付け構造を示す図である。
【図５】本考案に関わる逆U字型の補強材の取付け構造を示す図である。
【図６】本考案に関わる母屋の立体結構を示す図である。
【図７】本考案に関わる第１接続部品が２段階の伝動ロッドを接続する結構を示す図である。
【図８】本考案に関わる第２接続部品の取付けの結構を示す図である。
【図９】本考案に関わる第２接続部品の立体結構を示す図である。
【考案を実施するための形態】
【００１７】
本考案の技術方案をさらに説明するために、具体的な実施形態を通って、本考案を以下に詳細に説明する。
【００１８】
図１〜図９に示すように、本考案は、固定及び調整可能な太陽光発電ブラケットに関して、それは、複数の取り付け支柱１と、太陽光発電取り付けフレームと、プッシュロッド部品５を備え、前記複数の取り付け支柱１が地面に建てられ、しかも同じな垂直面に配置され、前記太陽光発電取り付けフレームは、取り付け支柱１の上端に回転可能に接続されており、前記取り付け支柱１のそれぞれに一式のプッシュロッド部品５が設けられており、前記プッシュロッド部品５は、プッシュロッド本体５１とプッシュロッド本体に伸縮可能な伸び出しロッド５２を含み、前記プッシュロッド本体５１の下端は、前記取り付け支柱１に回転可能に接続され、前記伸び出しロッドの５２上端は、前記太陽光発電取り付けフレームに回転可能に接続されている。前記プッシュロッド本体５１には、前記伸び出しロッド５２の伸縮を駆動する伝動軸５３が設けられ、隣接する二つの取り付け支柱１にある伝動軸５３の間に、伝動ロッド６が接続され、前記プッシュロッド本体５１の少なくとも一つの伝動軸５３には、前記伝動軸５３を駆動するためのクランク（図に示さず）が設けられている。好ましくは、手動プッシュロッド部品５の内部は、セルフロック機能を有するスパイラル伝達構造（図に示さず）を設け、それにより、前記プッシュロッド部品５は、安定の支持作用を有することができる。
【００１９】
設けられた前記伝動ロッド６と前記クランクを通って、好ましくは、クランクは、側縁にある取り付け支柱１の駆動軸５３に配置され、前記クランクを振って前記伝動ロッド６を回転して、これにより、前記プッシュロッド本体５１の伝動軸５３が同期に回転駆動され、さらに、前記伸び出しロッド５２を駆動して、同期に伸縮させて、このようにして、前記太陽光発電取り付けフレーム５の傾斜角度の調整を実現できる。前記プッシュロッド部品５の伸び出しロッド５２を多くに伸ばすと、前記太陽光発電取り付けフレームは、小さい角度の状態になる。前記プッシュロッド部品５の伸び出しロッド５２を小さくに伸ばすと、前記太陽光発電取り付けフレームは、大きな角度の状態になる。前記伸び出しロッド５２の伸び出しは、無段階に調整でき、必要に応じて、前記太陽光発電取り付けフレームの角度を調整できる。
【００２０】
好ましくは、前記伝動ロッド６は、２段階の伝動ロッド６が第１接続部品６１を介して接続して、前記第１接続部品６１には、前記伝動ロッド６の長さ方向に沿ってストリップ孔が設けられ、前記ストリップ孔は、貫通され、前記伝動ロッド６を接続する固定部品が設けられる。また、前記伝動ロッド６は、角管である。前記第１接続部品６１は、角管接続部品である。取り付け支柱１と設取り付け支柱１との距離誤差を考慮して、前記伝達ロッド６の長さは、調整可能な構造形式として設計され、各式の伝達ロッド６は、二段式の角管に設計され、しかも中間の角管接続部品の接続形式を通って、そして、前記角管接続部品には、ストリップ孔が設けられ、それによって、支柱の間隔誤差の問題を効果的に解決すると同時に、伝達ロッドが垂れ下がる問題を最大限に解決し、支柱間の実際の距離に応じて伝達ロッドの長さを調整できる。
【００２１】
好ましくは、前記太陽光発電取り付けフレームは、逆U字型梁２と横梁とを含み、各前記取り付け支柱１の上端には、回転可能に逆U字型梁２が設けられており、しかも隣接する逆U字型梁２の間に数列の横梁が配置されており、横梁の各列は、複数の本のC 字型梁３によって接続され、隣接するC 字型梁３の間に接続をするために第２接続部品３１が設けられる。さらに、前記第２接続部品３１は、Ｊ字型であり、前記第２接続部品３１は、底辺板３１１、長辺板３１２と短辺板３１３を有し、前記長辺板３１２と前記短辺板３１３は、互いに平行に配置され、しかもそれぞれ前記底辺板３１１の両側に接続され、前記長辺板３１２と前記短辺板３１１には、ロック孔３１４が設けられている。このように、前記横梁は、複数のC字型梁３から構成され、前記第２接続部品３１を通って接続して、さらにストリップ孔の配置で、その取り付けは、便利かつ効率的にする。
【００２２】
好ましくは、前記C 字型梁３と前記逆U字型梁２は、母屋２２によって接続され、前記C 字型梁３の下表面は、前記逆U字型梁２の上表面と接続して、前記母屋２２には、前記C 字型梁３と前記逆U字型梁２に用いられるためのストリップ孔が設けられ、前記逆U字型梁２にもストリップ孔が設けられる。前記母屋２２は、前記C 字型梁３と前記逆U字型梁２との接続を簡単で固着させることができて、組み立ての時に簡単で迅速に取付けることができる。
【００２３】
好ましくは、前記取り付け支柱１には、固定するためのプッシュロッド取付座１１が設けられ、前記プッシュロッド本体５１は、回転自在に前記プッシュロッド取付座１１に接続される。前記逆U字型梁２の下表面には、固定するための逆U字型の補強材２１が設けられ、前記伸び出しロッド５２は、前記逆U字型の補強材２１と回転接続する。前記プッシュロッド取付座１１と前記逆U字型の補強材２１を設置することで、前記プッシュロッド部品５の上端及び下端を便利に前記取り付け支柱１と前記逆U字型梁２に簡単に接続させる。
【００２４】
好ましくは、前記C 字型梁３の上表面には、固定して太陽光発電モジュール４を取り付けるためのバッキングプレートが設けられ、前記バッキングプレートには、ストリップ孔が設けられる。これにより、太陽光発電パネルなどの太陽光発電モジュール４を前記C 字型梁３に設置することが容易になります。
【００２５】
前記逆U字型梁２の耐荷重を考え、前記逆U字型梁２の長さ方向に沿って、４列以内の太陽光発電モジュール４を設ける
【符号の説明】
【００２６】
１取り付け支柱
１１プッシュロッド取付座
２逆U字型梁
２１逆U字型の補強材
２２母屋
３C 字型梁
３１第２接続部品３１
３１１底辺板
３１２長辺板
３１３短辺板
３１４ロック孔
５プッシュロッド部品
５１プッシュロッド本体
５２伸び出しロッドの
５３伝動軸
６伝動ロッド
【図１】
0003234915.tif 000003
【図２】
0003234915.tif 000004
【図３】
0003234915.tif 000005
【図４】
0003234915.tif 000006
【図５】
0003234915.tif 000007
【図６】
0003234915.tif 000008
【図７】
0003234915.tif 000009
【図８】
0003234915.tif 000010
【図９】
0003234915.tif 000011